(57)【要約】【課題】容器本体に閉鎖状態に嵌合された蓋体を片手操作によって容器本体の外周縁の外嵌状態から簡単に離脱させることができ、蓋体を容易に開放させることができる容器を提供する。【解決手段】容器本体１２の上端開口縁にフランジ部１４及び把持部１４ａを形成する。蓋体１３のフランジ部２１及び膨出板部２１ａに対し、前記把持部１４ａに形成した係止凸条１６及び浮上用凸条１７に係合される係合凸条２２ａ及び係合溝部２２ｂを形成する。前記フランジ部２１及び膨出板部２１ａに対し、抓み部２３ａを上方に膨らむように設け、抓み部２３ａの内部に空洞部２４ａを形成する。前記抓み部２３ａを指で抓むことにより前記係合凸条２２ａを係止凸条１６及び浮上用凸条１７から離脱させ、容器本体１２に対する蓋体１３の係合状態を片手操作によりワンタッチで解除する。【選択図】      図４
2006044754.tif 000002
【特許請求の範囲】
【請求項１】
容器本体の上端開口縁の外周に設けられた係合凸部又は係合凹部に対し、合成樹脂シート製の蓋体の下部開口縁の内周に設けられた係合凹部又は係合凸部を係合することにより該蓋体を閉鎖状態に保持するように構成した容器において、
前記蓋体の外周寄り部位に、該蓋体自体を上方に膨出させて抓み部を形成し、該抓み部の内側に空洞部を形成し、前記抓み部を指で抓むことにより前記空洞部が縮小され、前記蓋体に設けられた係合凹部又は係合凸部が前記容器本体に設けられた係合凸部又は係合凹部から離脱されるように構成されていることを特徴とする容器。
【請求項２】
請求項１において、前記抓み部は前記蓋体の複数箇所に設けられていることを特徴とする容器。
【請求項３】
請求項１又は２において、前記抓み部は前記蓋体の半径方向両側方から複数の指で抓むことにより前記空洞部が縮小されるように構成されていることを特徴とする容器。
【請求項４】
請求項１〜３のいずれか一項において、前記容器本体の上端開口縁には外方に張り出すフランジ部が形成され、このフランジ部の外周縁には二箇所に横方向に膨らむ把持部が形成され、前記蓋体には前記容器本体のフランジ部及び把持部と対応するようにフランジ部及び膨出板部が形成され、前記膨出板部に前記抓み部が形成されていることを特徴とする容器。
【請求項５】
請求項４において、前記抓み部は上方から見て前記蓋体の外周縁とほぼ平行な円弧状に形成されていることを特徴とする容器。
【発明の詳細な説明】
【技術分野】
【０００１】
本発明は、例えば食品マーケット等において、うどん、そば、惣菜等の食品や他の物品等の収容物を収容するのに使用される容器に関する。
【背景技術】
【０００２】
従来、この種の容器としては例えば、鍋焼き用のうどんを収容するアルミニウムシート製の容器本体の開口部に対し、合成樹脂シート製の蓋体を脱着開閉可能に取り付けるように構成したものが知られている。この容器では、容器本体内に、うどん等の収容物を収容して、上記容器本体の開口部に蓋体を被覆装着したとき、蓋体を閉鎖状態に確実に止着する必要がある。このため、この種の容器においては、容器本体の開口周縁にフランジ部が形成されるとともに、蓋体の外周縁に嵌合部が形成され、容器本体に対する蓋体の閉鎖状態で、嵌合部がフランジ部に外嵌されるようになっている。
【発明の開示】
【発明が解決しようとする課題】
【０００３】
ところが、上記従来の容器においては、蓋体を閉鎖状態から開放させる場合、蓋体の嵌合部が容器本体のフランジ部に対して、比較的強固に外嵌されているため、片手操作によって、嵌合部をフランジ部から離脱させて、蓋体を解消させるのは困難であるという問題があった。
【０００４】
本発明は、上記従来の技術に存在する問題点に着目してなされたものである。その目的は、容器本体に閉鎖状態に嵌合された蓋体を片手操作によって容器本体の外周縁の外嵌状態から簡単に離脱させることができ、蓋体を容易に開放させることができる容器を提供することにある。
【課題を解決するための手段】
【０００５】
上記問題点を解決するために、請求項１に記載の発明は、容器本体の上端開口縁の外周に設けられた係合凸部又は係合凹部に対し、合成樹脂シート製の蓋体の下部開口縁の内周に設けられた係合凹部又は係合凸部を係合することにより該蓋体を閉鎖状態に保持するように構成した容器において、前記蓋体の外周寄り部位に、該蓋体自体を上方に膨出させて抓み部を形成し、該抓み部の内側に空洞部を形成し、前記抓み部を指で抓むことにより前記空洞部が縮小され、前記蓋体に設けられた係合凹部又は係合凸部が前記容器本体に設けられた係合凸部又は係合凹部から離脱されるように構成されていることを要旨とする。
【０００６】
請求項２に記載の発明は、請求項１において、前記抓み部は前記蓋体の複数箇所に設けられていることを要旨とする。
請求項３に記載の発明は、請求項１又は２において、前記抓み部は前記蓋体の半径方向両側方から複数の指で抓むことにより前記空洞部が縮小されるように構成されていることを要旨とする。
【０００７】
請求項４に記載の発明は、請求項１〜３のいずれか一項において、前記容器本体の上端開口縁には外方に張り出すフランジ部が形成され、このフランジ部の外周縁には二箇所に横方向に膨らむ把持部が形成され、前記蓋体には前記容器本体のフランジ部及び把持部と対応するようにフランジ部及び膨出板部が形成され、前記膨出板部に前記抓み部が形成されていることを要旨とする。
【０００８】
請求項５に記載の発明は、請求項４において、前記抓み部は上方から見て前記蓋体の外周縁とほぼ平行な円弧状に形成されていることを要旨とする。
【発明の効果】
【０００９】
本発明によれば、容器本体に閉鎖状態に嵌合された蓋体の抓み部を指で抓むことにより、蓋体の下部開口縁の内周に設けられた係合凹部又は係合凸部が、容器本体の上端開口縁の外周に設けられた係合凸部又は係合凹部からワンタッチで引き離される。このため、容器本体から蓋体を片手操作で容易に開放することができる。
【発明を実施するための最良の形態】
【００１０】
以下、本発明の容器を鍋焼きうどん用の容器に具体化した一実施形態を図面に従って説明する。
図１及び図２に示すように、この実施形態の容器１１は、アルミニウムシートによりなる上面を開口したほぼ鍋形状をなす容器本体１２と、ポリプロピレン、ポリスチレン、ポリエチレン、ポリエチレン・テレフタレート等の合成樹脂シートよりなるほぼ円板状の蓋体１３とから構成されている。そして、この蓋体１３が容器本体１２の開口部に脱着開閉可能に取り付けられて、容器本体１２の開口部が閉鎖されるようになっている。
【００１１】
前記容器本体１２について説明すると、この容器本体１２の上端開口周縁全域には水平方向外側に延びるようにフランジ部１４が一体に形成されている。このフランジ部１４の２箇所には、容器本体１２の中心を通る直線上に位置するように、一対の把持部１４ａ，１４ｂが水平方向外側に延びるように一体に形成されている。前記容器本体１２の上部、フランジ部１４及び両把持部１４ａ，１４ｂには、両把持部１４ａ，１４ｂの剛性を高めるための膨出部１５ａ，１５ｂがそれぞれ２箇所に容器外方に膨らむように形成されている。前記フランジ部１４及び把持部１４ａ，１４ｂの外周縁には下向きに係止凸条１６が一体に形成され、前記蓋体１３を浮上保持するための浮上用凸条１７が上向きに一体に形成されている。
【００１２】
次に、前記蓋体１３について説明すると、この蓋体１３の外周縁全域には、前記容器本体１２のフランジ部１４と上下方向に対応するように、フランジ部２１が一体に形成されている。このフランジ部２１の２箇所には、前記容器本体１２の一対の把持部１４ａ，１４ｂと対応するように、膨出板部２１ａ，２１ｂが一体に水平方向に形成されている。前記フランジ部２１及び膨出板部２１ａ，２１ｂの外周縁全域には、スカート部２２が下向きに一体に形成されている。このスカート部２２の内周面には、複数箇所に係合凸条２２ａが内方に膨らむように一体に膨出形成されている。この係合凸条２２ａは、図３に示すように、両膨出板部２１ａ，２１ｂと対応する部分にそれぞれ１箇所、その他の部分に６箇所に形成され、全体として８箇所に形成されている。前記スカート部２２の係合凸条２２ａの上方には、図４に示すように、膨出板部２１ａ及びスカート部２２の一部と協同して前記係止凸条１６及び浮上用凸条１７に外嵌される係合凹部としての係合溝部２２ｂが複数箇所（この実施形態では係合凸条２２ａの形成箇所の数と同じ８箇所）に形成されている。
【００１３】
次に、この発明の要部構成について説明する。
図１及び図３に示すように、前記フランジ部２１及び膨出板部２１ａ，２１ｂには、上方に膨らむように抓み部２３ａ，２３ｂが一体に成形されている。この抓み部２３ａ，２３ｂの内側には、図３及び図４に示すように、空洞部２４ａ，２４ｂが形成されている。又、前記抓み部２３ａ，２３ｂには凹部２５ａ，２５ｂが前記空洞部２４ａ，２４ｂ側に膨らむように形成されている。前記抓み部２３ａ，２３ｂに対する前記凹部２５ａ，２５ｂの位置を各蓋体１３〜１３毎に少しずらすことにより、複数の蓋体１３〜１３を上下方向に積層した状態で各蓋体１３〜１３が密着しないようになっている。
【００１４】
次に、前記のように構成した容器１１についてその動作を説明する。
図２は、容器本体１２の上端開口縁に蓋体１３が嵌合された閉鎖状態を示す。この状態においては、前記容器本体１２側の係止凸条１６に対して、蓋体１３側のスカート部２２に設けた係合凸条２２ａが係止され、係合溝部２２ｂ内に係止凸条１６と浮上用凸条１７が嵌合されている。この状態において、一方の抓み部２３ａの内外両側の側壁面Ｓ１，Ｓ２を例えば、親指と人差し指で抓むと、外側の側壁面Ｓ２が内側の側壁面Ｓ１に接近されて空洞部２４ａが縮小される。このとき、スカート部２２の係合凸条２２ａが上方向に引き上げられるので、係合凸条２２ａが係止凸条１６及び浮上用凸条１７を乗り越えて、図５に示すように上方に移動される。このため、一方の抓み部２３ａ側の係合凸条２２ａが係止凸条１６及び浮上用凸条１７から離脱されて係合状態が解除される。その後、抓み部２３ａを上方に持ち上げることにより、別の係合凸条２２ａが係止凸条１６及び浮上用凸条１７から順次離脱されて係合状態が解除され、蓋体１３がスカート部２２の上端開口縁から取り外される。
【００１５】
上述の蓋体１３の開放動作は、一方の抓み部２３ａを抓むことによって行われるようにしたが、抓み部２３ａ，２３ｂを二つの手によって、同時に抓んで開放するようにしてもよい。
【００１６】
上記実施形態の容器１１によれば、以下のような効果を得ることができる。
（１）上記実施形態では、蓋体１３のフランジ部２１に一体に形成された膨出板部２１ａ，２１ｂに抓み部２３ａ，２３ｂを形成し、この抓み部２３ａ，２３ｂを指で抓むことにより容器本体１２側の係止凸条１６に対する係合凸条２２ａの係合状態を解除するようにした。このため、片手によるワンタッチ操作で簡単に係合状態を解除することができ、容器本体１２から蓋体１３を簡単に取り外すことができる。
【００１７】
（２）上記実施形態では、蓋体１３に対し抓み部２３ａ，２３ｂを二箇所に形成したので、両方の抓み部２３ａ，２３ｂを指で抓むことによって、容器本体１２から蓋体１３を迅速に取り外すことができる。
【００１８】
（３）上記実施形態では、前記抓み部２３ａ，２３ｂは前記蓋体１３の半径方向両側から指で抓むことにより前記空洞部２４ａ，２４ｂが縮小されるように構成したので、前記係止凸条１６に係合されている係合凸条２２ａの解除動作を効率的に行うことができる。
【００１９】
（４）上記実施形態では、フランジ部２１に膨出板部２１ａを設け、この膨出板部２１ａに抓み部２３ａ，２３ｂを形成したので、抓み部２３ａ，２３ｂの形成を容易に行うことができる。
【００２０】
（５）上記実施形態では、抓み部２３ａ，２３ｂが上方から見て蓋体１３の外周縁とほぼ平行な円弧状に形成されているので、外観を向上することができる。
（６）上記実施形態では、フランジ部１４及び把持部１４ａの外周縁に浮上用凸条１７を形成したので、前記フランジ部２１及び膨出板部２１ａがフランジ部１４及び把持部１４ａから浮上保持される。このため、フランジ部１４及び把持部１４ａと、前記フランジ部２１及び膨出板部２１ａとの密着を防止することができる。
【００２１】
なお、上記実施形態は以下のように変更してもよい。
○前記実施形態において、図示しないが抓み部２３ａ，２３ｂのいずれか一方を省略してもよい。又、抓み部を三箇所以上に設けてもよい。
【００２２】
○前記容器本体１２を例えばポリプロピレン、ポリスチレン、ポリエチレン、ポリエチレン・テレフタレート等の合成樹脂製の材料により形成してもよい。
○前記容器本体１２の把持部１４ａ，１４ｂを省略するとともに、蓋体１３側の膨出板部２１ａ，２１ｂを省略してもよい。
【００２３】
○前記係止凸条１６を省略してもよい。又、浮上用凸条１７を省略してもよい。係止凸条１６及び浮上用凸条１７を共に省略した場合には、フランジ部１４及び把持部１４ａの外周縁が係合凸条としての機能をもつことになる。
【００２４】
○前記容器本体１２の前記フランジ部１４及び把持部１４ａを省略し、前記容器本体１２の外周縁に係合凸部（又は係合凸条）を形成してもよい。又、この係合凸部（又は係合凸条）に代えて係合凹部（又は溝部）を形成してもよい。
【００２５】
○前記実施形態では、抓み部２３ａ，２３ｂを蓋体１３の半径方向から抓むようにしたが、半径方向と直交あるいは斜交する方向から抓むようにして、容器本体１２側の係止凸条１６から蓋体１３側の係合凸条２２ａが解除されるようにしてもよい。
【００２６】
○図示しないが容器本体１２の上端開口縁の外周に設けられた係合凹部に対し、蓋体１３の下部開口縁の内周に設けられた係合凸部を係合することにより該蓋体１３を閉鎖状態に保持するように構成した容器に具体化してもよい。
【００２７】
○例えば食品マーケット等において、うどん、そば、惣菜等の食品や他の物品等の収容物を収容するのに使用される容器に具体化してもよい。
（定義）
この明細書では、係合凸部とは係合凸条も含み、係合凹部とは係合溝部も含むものとする。
【図面の簡単な説明】
【００２８】
【図１】この発明の容器を鍋焼きうどん用の容器に具体化した１実施形態を示す分解斜視図。
【図２】図１の容器の容器本体に蓋体を閉鎖した状態を示す縦断面図。
【図３】蓋体のスカート部を通る平断面図。
【図４】図２の容器の部分拡大断面図。
【図５】容器本体から蓋体を取り外す動作を示す部分拡大断面図。
【符号の説明】
【００２９】
１１…容器、１２…容器本体、１３…蓋体、１４，２１…フランジ部、１４ａ，１４ｂ…把持部、２１ａ，２１ｂ…膨出板部、２４ａ，２４ｂ…空洞部。
【図１】
2006044754.tif 000003
【図２】
2006044754.tif 000004
【図３】
2006044754.tif 000005
【図４】
2006044754.tif 000006
【図５】
2006044754.tif 000007